(57)【要約】【課題】配水主管及び配水管の軸位置の差が生じると、立体的で複雑な配管構造となって使用継手が多くなり、また、施工効率が悪く、コストが高くなる点を解消する。【解決手段】同一平面内の等角度位置４箇所に形成した水平接続口（流入口２Ａ及び流出口２Ｂ、接続口３Ａ，３Ｂ）及びこれらを配した平面と直交する少なくとも上面に形成した垂直接続口（上接続口３Ｃ）を有する管継手１の、流入口２Ａ及び流出口２Ｂが配水主管（主管Ｐｓ）又は配水管（枝管Ｐｅ）と接続され、接続口３Ａ，３Ｂ及び上接続口３Ｃが枝管（接続管Ｐｒ）又はプラグ（栓Ｓ）と接続され、主管Ｐｓ及び枝管Ｐｅ並びに管継手１の水平接続口の軸を同一平面上に配した。【効果】主管Ｐｓ及び枝管Ｐｅ並びに該管継手１の水平接続口の軸位置の差が生じないので平面的でシンプルとなるうえに、将来的なデザイン変更に容易に対応でき、さらには、施工効率が向上し、施工コストを低減できる。【選択図】  図３
2007247670.tif 000002
【特許請求の範囲】
【請求項１】
配水主管及び配水管の軸位置の差すなわち設置寸法の変わることのない配管構造であって、同一平面内における等角度位置４箇所に形成した水平接続口、及びこれら水平接続口を配した平面と直交する少なくとも上面に形成した垂直接続口を有する管継手の、前記水平接続口の対向する２箇所が配水主管又は配水管と接続され、前記水平接続口の他の２箇所及び前記垂直接続口が枝管又はプラグと接続され、さらに、配水主管及び配水管並びに管継手の水平接続口の軸が同一平面上に配されていることを特徴とする流体の配管構造。
【請求項２】
互いに等角度でかつ同一平面内の４箇所に形成され、そのうちの対向する２箇所に配水主管又は配水管が接続され、他の２箇所に枝管又はプラグが接続される水平接続口と、これら水平接続口を配した平面と直交する少なくとも上面に形成され、枝管又はプラグが接続される垂直接続口とを備えたことを特徴とする管継手。
【請求項３】
既に完成した請求項１記載の配管構造に対して流体の排出箇所を増設する方法であって、プラグが接続されている垂直接続口又は水平接続口にあっては該プラグを外して枝管を接続する、あるいは枝管が接続された水平接続口にあっては該枝管を外して配水管を接続した後、該配水管に対して請求項２記載の管継手の水平接続口を接続する、ことを特徴とする増設方法。
【発明の詳細な説明】
【技術分野】
【０００１】
本発明は、配水主管及び配水管の軸位置の差（以下、設置寸法という）が生じることなく、平面的に広い範囲に配管施工ができる流体の配管構造及び管継手、さらに、短時間、低コストで簡便に排出箇所の増設が可能な方法に関する。
【背景技術】
【０００２】
例えば消火設備において、火災の発生時に噴出させる流体すなわち消火液を建造物内の所定領域に行き渡らせるための配管構造は、消火液の供給元から、配水主管、配水管、枝管、消火液の噴出器具の順に接続されている。なお、配水管又は枝管の管径は噴出器具の数により法令で定められている。
【０００３】
上記配管構造は、配水主管から配水管、配水管から枝管、と流体を行き渡らせるための領域が広く、それに伴う流路の分岐が多くなるほど、どうしても設置寸法が大きくなって、配管構造が立体的で継手が多く必要となって極めて複雑になるために、施工作業や設備の収まり、管理などもまた複雑となり、非効率的であった。
【０００４】
以下の特許文献１では、同一平面上の一方に主管との第１接続部を形成すると共に他方に該第１接続部より小径の複数の第１連結部を形成した第１接続部材と、第１接続部材の複数の第１連結部の各々に接続する第２接続部を形成すると共にこの第２接続部の形成箇所から直管部を介して直交方向に該第２接続部より小径の複数の第２連結部を形成した第２接続部材とを備えた多口継手を用いた配管構造が提案されている。
【特許文献１】特開２００２−８５５８１公報
【０００５】
上記特許文献１は、多口継手を用いて、１個の第１接続部に対して多数の噴出ヘッドを、直接的に又は第２連結部と接続した接続管やエルボを介して間接的に設けることで、配管構造を簡素化し、これに伴って設置寸法を小さくするようにしている。
【発明の開示】
【発明が解決しようとする課題】
【０００６】
特許文献１は、多口継手の流入口となる第１接続部の流入方向と直交する方向に流出口となる第２連結部が形成され、つまり流入位置に対する流出位置が垂直方向で異なる位置とされていたので、仮に該多口継手（の第２連結部）からさらに継手を設けて分岐させて配管を延ばすには、どうしても設置寸法が大きくならざるを得ないという不具合がある。
【０００７】
また、特許文献１を含めた従来の場合、既に施工済みの配管構造において、建造物のレイアウトの変更で、例えば流体の排出箇所の数を増設するような場合には、既設管を切断したり、多種多様の継手や部材が必要となると共に、極めて大がかりな作業を行う必要があった。
【０００８】
ちなみに、増設作業では、流体が液体であれば、必ず水抜き作業と称される配管構造全体の液体を抜く作業の後に行う必要があった。水抜き作業とは、供給元の止水を行ってバルブ操作による排水を行った後、なお配管中に残留する水を抜く作業のことである。従来の設置寸法が大きい立体的な配管構造においては、バルブ操作で排水を行っても低所に水が残留しているから、残留水が抜けるのを待つ必要が生じ、水抜き作業に多大な時間を費やされ、効率が極めて悪いという問題があった。
【０００９】
さらに、増設作業を行った後には、新たに当初計画外の配管主管や配水管の軸位置とは異なる軸位置（例えば高さ方向の位置）の継手箇所が生じることになるから、この箇所においては、増設作業を行っていない箇所に較べて、継手が増える分だけ、水漏れが発生したり、継手が外れるなどといったトラブルの原因となる可能性が高いという問題もある。
【００１０】
本発明の解決しようとする問題点は、特許文献１の配管構造では多口継手からさらに継手を設けて分岐させて配管を延ばすには、どうしても設置寸法が大きくならざるを得ないという点、また、特許文献１を含む従来では、既設の配管構造にさらに排出箇所を増設するには極めて大がかりな作業を行う必要があると共に作業効率が悪いという点である。
【課題を解決するための手段】
【００１１】
上記問題点を解決するために、本発明の配管構造は、同一平面内における等角度位置４箇所に形成した水平接続口、及びこれら水平接続口を配した平面と直交する少なくとも上面に形成した垂直接続口を有する管継手の、水平接続口の対向する２箇所が配水主管又は配水管と接続され、水平接続口の他の２箇所及び垂直接続口が枝管又はプラグと接続され、さらに、配水主管及び配水管並びに管継手の水平接続口の軸が同一平面上に配されているものとした。
【００１２】
また、本発明の管継手は、互いに等角度でかつ同一平面内の４箇所に形成され、そのうちの対向する２箇所に配水主管又は配水管が接続され、他の２箇所に枝管又はプラグが接続される水平接続口と、これら水平接続口を配した平面と直交する少なくとも上面に形成され、枝管又はプラグが接続される垂直接続口とを備えたものとした。
【００１３】
また、本発明の増設方法は、既に完成した本発明の配管構造に対して流体の排出箇所を増設する方法であって、プラグが接続されている垂直接続口又は水平接続口にあっては該プラグを外して枝管を接続する、あるいは枝管が接続された水平接続口にあっては該枝管を外して配水管を接続した後、該配水管に対して本発明の管継手の水平接続口を接続することとした。
【発明の効果】
【００１４】
本発明は、管継手の水平接続口により、この管継手に接続される配水主管や配水管もまた常に該水平接続口と同一平面内に軸が位置するから、配管を延ばしても全体の設置寸法が変わることがなく、その結果、例えば管を天井面から吊すための吊りバンドの調整長さの統一化を図ることができ、また、配管を平面的に捉えることができるから施工図の作成が容易となると共に、施工作業も簡便となり、また、必要部材も削減できるのでコストダウンに寄与できる。
【００１５】
さらに、本発明は、管継手における配水主管又は配水管が接続していない水平接続口又は垂直接続口にプラグが接続されているとき、このプラグを外して、枝管を接続すれば、既設管を切断し、分岐継手を設けることなく排出箇所を増設することができる。
【００１６】
また、本発明は、管継手における配水主管又は配水管が接続していない水平接続口に枝管が接続されているとき、この枝管を外して、配水管を接続し、この配水管に対して本発明の管継手の水平接続口を接続すれば、既設管を切断することなく排出箇所を前記よりさらに多く増設できる。
【発明を実施するための最良の形態】
【００１７】
本発明は、図１〜図３を参照して以下に説明する形態により実施可能である。図１は管継手１を、図２は配管構造１０を、図３は配管構造１１を各々示している。配管構造１０，１１において供給される流体は、本例では例えば消火設備において用いられる消火液である。なお、本例では消火設備を想定しているので消火液として説明するが、流体という意味では液体のみならず、例えば温度調整装置（エアーコンディショナー）の冷媒や気体であってもよい。
【００１８】
管継手１は、配管構造１０及び配管構造１１において、消火液の供給域に配され、法令上の配水主管（以下、主管Ｐｓ）同士及び、法令上の配水管（以下、枝管Ｐｅ）同士を繋ぐと共に、消火液の噴出器具Ｎ（ヘッド）、該噴出器具Ｎに繋がれた法令上の枝管（以下、接続管Ｐｒ）、プラグ（以下、栓Ｓ）が、接続されるものである。なお、本例では接続管Ｐｒとしてフレキシブル管を採用している。
【００１９】
管継手１は、図１に示すように、対向位置に流入口２Ａと流出口２Ｂとが形成され、これら流入口２Ａと流出口２Ｂの対向方向と直交する同一平面上にさらに接続口３Ａ，３Ｂが対向状に形成され、流入口２Ａ及び流出口２Ｂと、接続口３Ａ，３Ｂとの直交部位において本例では上方に開口するように上接続口３Ｃが形成されている。
【００２０】
すなわち、管継手１は、流入口２Ａと流出口２Ｂ、接続口３Ａ，３Ｂが同一平面内における等角度位置４箇所に配した水平接続口に相当する。そして、流入口２Ａと流出口２Ｂには、主管Ｐｓや枝管Ｐｅが接続される。
【００２１】
また、管継手１は、接続口３Ａ，３Ｂが、流入口２Ａと流出口２Ｂ以外の他の２箇所の水平接続口に相当すると共に、上接続口３Ｃが水平接続口を配した平面と直交する少なくとも上面にもう１箇所形成した垂直接続口に相当する。接続口３Ａ，３Ｂ及び上接続口３Ｃは、配管構造上においては、接続管Ｐｒ又は栓Ｓが接続される。
【００２２】
管継手１は、図１に示すように流入口２Ａと流出口２Ｂの内径が、異径でも同径でもよく、継手箇所に応じて同径と異径を使い分ければよい。したがって、管継手１を用いればリデューサを必要としない。なお、異径の場合は内径の大きい方を流出口２Ａ、小さい方を流出口２Ｂとする。
【００２３】
また、管継手１は、図１に示すバンド付タイプのものでも、バンドの無いプレーンタイプのものでもよく、これらは流入口２Ａ、流出口２Ｂ、接続口３Ａ，３Ｂ、上接続口３Ｃ毎にバンドの有無が異なっていても構わない。
【００２４】
さらには、管継手１は、異径の場合、図１に示すように、流入口２Ａの内径が流路方向において接続口３Ａ，３Ｂ及び上接続口３Ｃを超えてから流出口２Ｂの内径に絞られる形状とすれば、該接続口３Ａ，３Ｂ及び上接続口３Ｃ並びに流出口２Ｂへの分配流量が安定する。もちろん、異径の場合、流入口２Ａ流入直後から流出口２Ｂの内径となるようにテーパを有した内部形状であっても構わないが、流体によっては若干分配流量が不安定になることがある。
【００２５】
また、管継手１は、接続の種類としては、ねじ込み、グルービング（ハウジング）、溶接、のいずれでもよく、これらの接続の種類は、流入口２Ａ、流出口２Ｂ、接続口３Ａ，３Ｂ、上接続口３Ｃ毎に別々に採用しても構わない。
【００２６】
さらに、管継手１は、本例では、上接続口３Ｃのみを示しているが、この上接続口３Ｃと対向する位置、すなわち下面に下接続口（図示及び参照番号無）を設けても構わない。そして、この下接続口を有する管継手１を採用しているならば、後に流体の排出箇所を増設すべく接続管Ｐｒ及び噴射器具Ｎを増設することを見越して、必要であれば上接続口３Ｃより優先して下接続口に接続管Ｐｒを接続する。この理由は後述する。
【００２７】
栓Ｓは流路を断絶する箇所に設ければよいが、本発明の管継手１の場合、特に、栓Ｓにより予めつまり施工当初から、上接続口３Ｃに接続しておく場合がある。この理由は、流体の排出箇所を増設する際の予備的な接続口として、栓Ｓを接続した上接続口３Ｃを施工当初からストックしておくためである。
【００２８】
図２に示す配管構造１０は、例えば主管Ｐｓから分岐した６５ｍｍの枝管Ｐｅから順に６５ｍｍ、５０ｍｍ、４０ｍｍ、３２ｍｍの枝管Ｐｅを管継手１を用いて接続して例えばＢ〜Ｄ部を１５の区画に分割し、１区画当たりに消火液の噴出器具Ｎが１個配置されるよう構成している。また、配管構造１０における接続口３Ａ，３Ｂ及び上接続口３Ｃの内径は本例では例えば２５ｍｍ（又は例えば２０ｍｍ）で統一している。
【００２９】
図２に示す配管構造１０のＡ部における管継手１は、流入口２Ａと流出口２Ｂが同じ内径とされ、両者に同径の主管Ｐｓを各々接続し、接続口３Ａ，３Ｂに接続管Ｐｒを各々接続し、上接続口３Ｃに栓Ｓを接続している。
【００３０】
配管構造１０のＢ部における管継手１は、流入口２Ａと流出口２Ｂは同じ内径とされ、両者に同径の枝管Ｐｅを各々接続し、接続口３Ａ，３Ｂに接続管Ｐｒを各々接続し、上接続口３Ｃに噴出器具Ｎを接続している。
【００３１】
配管構造１０のＣ部における管継手１は、流出口２Ｂが流入口２Ａに対して小さい内径とされ、流入口２Ａに枝管Ｐｅを、流出口２Ｂに流入口２Ａに接続した枝管Ｐｅより小さい内径の枝管Ｐｅを各々接続し、接続口３Ａ，３Ｂに接続管Ｐｒを各々接続し、上接続口３Ｃに噴出器具Ｎを接続している。
【００３２】
配管構造１０のＤ部における管継手１は、流入口２Ａと流出口２Ｂが同じ内径とされ、流入口２Ａに枝管Ｐｅを、流出口２Ｂに栓Ｓを各々接続し、接続口３Ａ，３Ｂに接続管Ｐｒを、上接続口３Ｃに噴出器具Ｎを接続している。なお、以上の配管構造１０のＡ〜Ｄ部の接続口３Ａ，３Ｂに接続された各々接続管Ｐｒにはそれぞれ噴出器具Ｎが取り付けられる。
【００３３】
図３に示す配管構造１１は、例えば主管Ｐｓから分岐した５０ｍｍの枝管Ｐｅから順に５０ｍｍ、５０ｍｍ、４０ｍｍ、２５ｍｍの枝管Ｐｅを管継手１を用いて接続して例えばＢ〜Ｄ部を１０区画に分割して１区画当たりに消火液の噴出器具Ｎが１個配置されるよう構成している。また、配管構造１１における接続口３Ａ，３Ｂ及び上接続口３Ｃの内径は本例も２５ｍｍで統一している。
【００３４】
図３に示す配管構造１１のＡ部における管継手１は、流入口２Ａと流出口２Ｂが同じ内径とされ、両者に同径の主管Ｐｓを各々接続し、接続口３Ａ，３Ｂに接続管Ｐｒを各々接続し、上接続口３Ｃに栓Ｓを接続している。
【００３５】
配管構造１１のＢ部における管継手１は、流入口２Ａと流出口２Ｂは同じ内径とされ、両者に同径の枝管Ｐｅを各々接続し、接続口３Ａ，３Ｂに接続管Ｐｒを各々接続し、上接続口３Ｃに栓Ｓを接続している。
【００３６】
配管構造１１のＣ部における管継手１は、流出口２Ｂが流入口２Ａに対して小さい内径とされ、流入口２Ａに枝管Ｐｅを、流出口２Ｂに流入口２Ａに接続した枝管Ｐｅより小さい内径の枝管Ｐｅを各々接続し、接続口３Ａ，３Ｂに接続管Ｐｒを各々接続し、上接続口３Ｃに栓Ｓを接続している。
【００３７】
配管構造１１のＤ部における管継手１は、流入口２Ａと流出口２Ｂが同じ内径とされ、流入口２Ａに枝管Ｐｅを、流出口２Ｂに栓Ｓを各々接続し、接続口３Ａ，３Ｂに接続管Ｐｒを各々接続し、上接続口３Ｃに栓Ｓを接続している。なお、以上の配管構造１１のＡ〜Ｄ部の接続口３Ａ，３Ｂに接続された接続管Ｐｒにはそれぞれ噴出器具Ｎが取り付けられる。
【００３８】
図２及び図３に示すように、配管構造１０，１１は、いずれも、主管Ｐｓ及び枝管Ｐｅの軸を同一平面上に位置させることができるから、流路を分岐してさらに広範囲に配管しても、設置寸法を変えることなく平面的に配管できる。
【００３９】
また、配管構造１０，１１は、主管Ｐｓ及び枝管Ｐｅを同じ設置寸法にできるので、これら主管Ｐｓ及び枝管Ｐｅの吊りバンドを一定長さとでき、この結果、寸法の異なる付属品を減らすことができる。
【００４０】
さらに、配管構造１０，１１は、配管レイアウトが平面的でシンプルなため、垂直方向など複雑な分岐のための継手が不要となり、したがって配管に要する継手の種類数の削減、ひいては図面等、施工管理が簡便となり、また、材料費及び施工時間並びに施工費を削減できる。
【００４１】
また、配管構造１０，１１は、上記した主管Ｐｓと枝管Ｐｅの設置寸法のみならず、噴出器具Ｎの取り付け高さも統一することができるので、全体としても配管レイアウトがシンプルとなり、その結果、見栄えがよくなるうえに配管施工した空間を有効に利用することができる。
【００４２】
ところで、図３に示す配管構造１１のＢ〜Ｄ部は、建造物内の所定範囲を１０区画に分割した際の配管構造であるが、後に建造物のレイアウト変更が生じて、図３に示した配管構造１１の状態から例えば図２に示すように１５区画に分割する、つまり排出箇所の増設が必要となった場合には、本発明の増設方法により、すなわち本例においては、栓Ｓが接続されている上接続口３Ｃ（垂直接続口）の該栓Ｓに代えて接続管Ｐｒ（排出配管）を接続して行う。
【００４３】
従来、既設の配管構造、つまり、現状、一旦完成後、噴出器具Ｎを新たに増設する接続口が存在しない構造、に対して排出箇所を増設するには、噴出器具Ｎ及び接続管Ｐｒの接続口を新たに設けるべく、次の手順が、増設箇所、増設数に関係なく、必ず行われる。
【００４４】
まず、増設箇所がどこであっても、また、増設数が１箇所であっても、配管構造全体の本例においては消火液を抜く。この作業は、具体的には、例えば配管構造が天井部に設置されている場合、消火液の供給元を止水して、そのうえでバルブ操作により配管内の消火液を排出し、配管内に残存する消火液が増設箇所から流出することを考慮して、場合によっては天井化粧板を破壊し、床にバケツを置き、増設箇所の配水主管や配水管を切断し、切断箇所から流出する水をバケツで受け、水が完全に抜けるまで待つというものである。
【００４５】
その後、切断し、切断した管を撤去した後、切断した配管間においてその部分に新たに、上流側から、例えばニップル−チーズ−ニップルを接続してチーズのニップルを接続していない残された１箇所の接続口に対して接続管Ｐｒを設け、接続管Ｐｒを噴出器具Ｎを設けることで、排出箇所を１つ増設する。
【００４６】
しかしながら、この従来の手順では、まず、水抜き作業に多大な時間を要し、かつ既設建造物の一部を破壊しなければならない場合が生じる。また、従来の手順では、既設管を切断し、撤去する手間が生じる。さらに、従来の手順では、接続管Ｐｒと噴出器具Ｎ以外に、ニップル２個、チーズ１個、フランジ等といったように必要となる部材が増え、必ず設置寸法が大きくなる。
【００４７】
これに対して、本発明の配管構造１０，１１は平面的な配管であるから、前記バルブ操作による排水の後には消火液が配管内にほとんど残留していない。したがって本発明の増設方法は、供給元の止水及びバルブ操作による排水は行うが、残留水が配管から抜けるのを待つ必要はない。そして、本発明の増設方法は、まず、図３において上接続口３Ｃに接続された栓Ｓを外す。このとき、本発明の管継手１は上接続口３Ｃが上向きであるので仮に残留水が存在したとしても上接続口３Ｃから流出しない。そして、栓Ｓを外した後、上接続口３Ｃに、接続管Ｐｒを接続し、この接続管Ｐｒに噴出器具Ｎを接続すれば、排出箇所を１つ増設できたことになる。
【００４８】
このことから、上記した本発明の増設方法は、まず、配管内の残留水を抜くことを要しないのでその時間を省略でき、かつ既設建造物の一部を破壊するような事態も生じない。また、本発明の増設方法は、既設の配管を切断する必要も生じない。さらに、本発明の増設方法は、そもそも既設配管構造に存在している管継手１を用いていることから、接続管Ｐｒと噴出器具Ｎ以外に必要となる部材は無く、そのうえ設置寸法が大きくなることも無い。
【００４９】
上記した管継手１の上接続口３Ｃを用いて接続管Ｐｒ及び噴出器具Ｎを増設する方法では、上接続口３Ｃで１箇所、下接続口を設けている場合は２箇所の増設が可能であるが、さらに他の増設が可能となる場合は、次のようにすればよい。
【００５０】
すなわち、管継手１の接続口３Ａ，３Ｂを用いて接続管Ｐｒ及び噴出器具Ｎを増設するのである。この場合、下接続口は下向きである分、若干残留水が流出することがあるが、極めて少ない量であるから、上記同様、既設建造物の一部を破壊したり、既設の管を切断する必要はなく、また、設置寸法が大きくなることもない。
【００５１】
まず、図３において、既に接続管Ｐｒが接続されている接続口３Ａ，３Ｂの一方又は両方の該接続管Ｐｒを外し、これに代えて、上流側から、例えばニップルを介して新たな管継手１の流入口２Ａを接続し、流出口２Ｂに栓Ｓを接続する。
【００５２】
なお、いま、この説明では、便宜上、上記したニップルは枝管Ｐｅ（配水管）と同義とする。つまり、新たな管継手１を接続するためにはニップルを用いてもよいし、枝管Ｐｅを用いてもよいという意味である。また、新たな管継手１の流出口２Ｂが接続口３Ａ，３Ｂ、及び上接続口３Ｃと同径である場合は、この流出口２Ｂに接続管Ｐｒ及び噴出器具Ｎを接続すればよい。
【００５３】
その後、新たに接続した管継手１における接続口３Ａ，３Ｂ、及び上接続口３Ｃに、接続管Ｐｒ及び噴出器具Ｎを接続すれば、最低でも３箇所の増設が可能となる。そして、このようにした場合であっても、上記したように、既設の管を切断する必要はなく、また設置寸法が大きくなることはない。
【００５４】
本発明の増設方法によれば、従来方法と比較して、既設の管を切断する必要が無い分だけ増設作業時間全体としては倍以上短縮できる。なお、上接続口３Ｃを用いた本発明の増設方法の場合は残留水が抜けるのを待つ必要がほとんどないので、従来方法と比較して、増設作業時間全体が倍以上短縮できる。一方、本発明の増設方法によれば、従来方法と比較して、他に必要となる部材が極めて少ないので、部材コストだけの単純計算では１０〜２５％ほど材料費が削減できる。
【図面の簡単な説明】
【００５５】
【図１】本発明の管継手を示す図である。
【図２】本発明に係る流体の配管構造を示す図である。
【図３】本発明に係る流体の配管構造を示す図である。
【符号の説明】
【００５６】
１  管継手
２Ａ  流入口
２Ｂ  流出口
３Ａ  接続口
３Ｂ  接続口
３Ｃ  上接続口
１０  配管構造
１１  配管構造
Ｐｓ  主管
Ｐｅ  枝管
Ｐｒ  接続管
Ｎ  噴出器具
Ｓ  栓
【図１】
2007247670.tif 000003
【図２】
2007247670.tif 000004
【図３】
2007247670.tif 000005